(57)【要約】【課題】子供や老人などにタッセルが絡みついて、タッセルを房掛けから引き離す方向に所定値以上の荷重がタッセルに作用したときに、タッセルのリング状態を確実に解除する。【解決手段】本発明の接続具９０は、壁又は窓枠に取付けられた房掛け１１とカーテンを束ねるタッセル４２とを分離可能に接続する接続本体９３を備える。タッセル４２を房掛け１１から引き離す方向の所定値以上の荷重がタッセル４２に作用したときに、一対の被係止片９４ｅ，９４ｅが弾性変形して、球状の係止本体９６ａが一対の被係止爪９４ｇ，９４ｇから離脱することにより、接続本体９３及び被係止部材９４が房掛け１１に残された状態で、係止部材９６がタッセル４２とともに房掛け１１から外れるように構成される。【選択図】図５
2018164746.tif 000002
【特許請求の範囲】
【請求項１】
壁又は窓枠に取付けられた房掛けとカーテンを束ねるタッセルとを分離可能に接続する接続本体を備えた接続具であって、
前記接続本体が前記房掛けに遊嵌可能なリング状に形成され、
前記接続本体に被係止部材の支持部が一体的に設けられ、
前記被係止部材に係止部材が離脱可能に係止し、
前記被係止部材が、前記支持部と、円筒状に形成され前記支持部にピンを介して回動可能に取付けられかつ中央から先端に向って切込みを形成することにより弾性変形可能な一対の被係止片が互いに対向して形成された被係止本体と、前記一対の被係止片の先端に互いに対向して設けられた一対の被係止爪とを有し、
前記係止部材が、前記被係止本体内に挿入されて前記一対の被係止爪に離脱可能に係止する球状の係止本体と、この係止本体に突設され前記タッセルのリング紐を遊挿可能なフックとを有し、
前記タッセルを前記房掛けから引き離す方向の所定値以上の荷重が前記タッセルに作用したときに、前記一対の被係止片が弾性変形して、前記球状の係止本体が前記一対の被係止爪から離脱することにより、前記接続本体及び前記被係止部材が前記房掛けに残された状態で、前記係止部材が前記タッセルとともに前記房掛けから外れるように構成されたことを特徴とする接続具。
【発明の詳細な説明】
【技術分野】
【０００１】
本発明は、壁等に取付けられた房掛けとカーテンを束ねるタッセルとを分離可能に接続する接続具に関するものである。
【背景技術】
【０００２】
従来、ロールスクリーン、ブラインド、カーテン等の日除け部材を懸架する支持枠が窓周面の壁面に配置され、日除け部材を左右又は上下に開閉するために支持枠から垂下されかつ長手方向に急激な力が加わったときに分解する着脱可能な安全具が配置された、日除け部材の操作コードが開示されている（例えば、特許文献１参照。）。
【０００３】
このように構成された日除け部材の操作コードは、操作コードの一部に安全具が介在されたので、操作コードの歩行者、特に子供や老人などへの絡みつきを防止できるようになっている。
【０００４】
一方、壁、窓枠等の固定側に取付けられた取付部と、カーテンを束ねる結束部材（タッセル）の両端に設けられた環部（リング紐）をそれぞれ両端から引抜き可能に挿入して掛止する掛止部とを備えた、カーテン用結束部材の掛止具（房掛け）が開示されている（例えば、特許文献２参照。）。この掛止具では、掛止部の一端が取付部に接離するように掛止部が取付部に回動自在に枢着され、取付部と掛止部との間に掛止部の一端が取付部に当接又は近接するように付勢する弾性部材が設けられる。
【０００５】
このように構成された掛止具では、結束部材の一方の環部を掛止部に掛止するとき、掛止部を押圧し又は引張って枢着部を中心に回転させ、掛止部の下端から環部を掛止部に挿入し、この状態で掛止部の押圧又は引張りを解除する。これにより弾性部材の付勢により掛止部の下端が取付部に係合するので、環部の不測の抜脱のおそれがなく、掛止部の下部に確実に掛止される。なお、他方の環部は掛止部の上部にその上端から離脱可能に掛止される。
【先行技術文献】
【特許文献】
【０００６】
【特許文献１】特開２００３−１８４４５６号公報（請求項１、段落［０００３］、［００１４］、図１及び図２）
【特許文献２】実願昭５６−１４６１４２号（実開昭５８−４９９９３号公報）の明細書及び図面（請求項１、第４頁第６行〜同頁第１６行、第１図〜第３図）
【発明の概要】
【発明が解決しようとする課題】
【０００７】
上記従来の特許文献１に示された日除け部材の操作コードでは、子供や老人などに操作コードが絡みついたときに、安全具が分解して操作コードのリング状態が解除されるので、上記操作コードの絡みつきを確実に解放できる。
【０００８】
一方、上記従来の特許文献２に示されたカーテン用結束部材の掛止具（房掛け）では、結束部材（タッセル）の一方の環部（リング紐）が掛止部の下部に掛止しかつ結束部材の他方の環部が掛止部の上部に掛止した状態で、子供や老人などに結束部材が絡みついて、結束具を掛止具から引き離す方向に荷重が作用したときに、この荷重の作用の仕方によっては、掛止部が枢着部を中心に回転して掛止部の下端が取付部から離れ、結束部材の一方の環部が掛止部の下部から離脱することにより、結束部材の絡みつきが解放される場合があるけれども、結束部材の絡みつきが解放されないおそれもある。
【０００９】
本発明の目的は、子供や老人などにタッセルが絡みついて、タッセルを房掛けから引き離す方向に所定値以上の荷重がタッセルに作用したときに、タッセルのリング状態を確実に解除できる、接続具を提供することにある。
【課題を解決するための手段】
【００１０】
本発明の第１の観点は、図５及び図６に示すように、壁又は窓枠に取付けられた房掛け１１とカーテンを束ねるタッセル４２とを分離可能に接続する接続本体９３を備えた接続具９０であって、接続本体９３が房掛け１１に遊嵌可能なリング状に形成され、接続本体９３に被係止部材９４の支持部９４ｂが一体的に設けられ、被係止部材９４に係止部材９６が離脱可能に係止し、被係止部材９４が、上記支持部９４ｂと、円筒状に形成され支持部９４ｂにピン９４ｃを介して回動可能に取付けられかつ中央から先端に向って切込み９４ｄを形成することにより弾性変形可能な一対の被係止片９４ｅ，９４ｅが互いに対向して形成された被係止本体９４ｆと、一対の被係止片９４ｅ，９４ｅの先端に互いに対向して設けられた一対の被係止爪９４ｇ，９４ｇとを有し、係止部材９６が、被係止本体９４ｆ内に挿入されて一対の被係止爪９４ｇ，９４ｇに離脱可能に係止する球状の係止本体９６ａと、この係止本体９６ａに突設されタッセル１２のリング紐４２ｂを遊挿可能なフック９６ｂとを有し、タッセル４２を房掛け１１から引き離す方向の所定値以上の荷重がタッセル４２に作用したときに、一対の被係止片９４ｅ，９４ｅが弾性変形して、球状の係止本体９６ａが一対の被係止爪９４ｇ，９４ｇから離脱することにより、接続本体９３及び被係止部材９４が房掛け１１に残された状態で、係止部材９６がタッセル４２とともに房掛け１１から外れるように構成されたことを特徴とする。
【発明の効果】
【００１１】
本発明の第１の観点の接続具では、子供や老人などにタッセルが絡みついて、タッセルを房掛けから引き離す方向の所定値以上の荷重がタッセルに作用すると、係止部材が被係止部材から離脱するので、接続本体及び被係止部材が房掛けに残された状態で、係止部材がタッセルとともに房掛けから外れる。この結果、タッセルのリング状態を確実に解除できるので、子供や老人などをタッセルの絡みつきから速やかに解放できる。また被係止部材に係止部材を係止することにより、タッセルを房掛けに再び接続できるので、接続具を何回でも繰返し使用できる。
【図面の簡単な説明】
【００１２】
【図１】第１参考形態の接続具を介して房掛けに接続されたタッセルに所定値以上が力が作用してタッセルが房掛けから外れる動作を示す要部斜視図である。
【図２】そのタッセルが房掛けから外れる動作を示す要部平面図である。
【図３】第２参考形態の接続具を介して房掛けに接続されたタッセルに所定値以上の力が作用してタッセルが房掛けから外れる動作を示す要部平面図である。
【図４】その接続具の斜視図である。
【図５】本発明第１実施形態の接続具を介して房掛けに接続されたタッセルに所定値以上の力が作用してタッセルが房掛けから外れる動作を示す要部斜視図である。
【図６】そのタッセルが房掛けから外れる動作を示す要部断面図である。
【発明を実施するための形態】
【００１３】
次に本発明を実施するための形態を参考の形態とともに図面に基づいて説明する。
【００１４】
＜第１の参考の形態＞
図１及び図２に示すように、この参考の形態の接続具１０は、房掛け１１とタッセル１２とを分離可能に接続する接続本体１３を備える。房掛け１１は、壁又は窓枠に取付けられる取付部１１ａと、鉛直方向に延びて設けられた円柱状の柱状部１１ｂと、取付部１１ａと柱状部１１ｂとを連結する四角柱状の水平部１１ｃとを有する。この房掛け１１は、取付部１１ａを壁又は窓枠にビス等で取付けることにより、壁又は窓枠に固定される。またタッセル１２は、カーテンに巻き付けられる房部１２ａと、この房部１２ａの両端に設けられた幅広の一対のリング紐１２ｂとを有する。このタッセル１２によりカーテンが束ねられる。
【００１５】
一方、接続本体１３は、弾性変形可能な円形のリング状に形成される。そして接続本体１３は房掛け１１の柱状部１１ｂに遊嵌可能に構成され、接続本体１３にタッセル１２のリング紐１２ｂが遊挿可能に構成される。また接続本体１３は単一の切離し部１３ａを有する。この切離し部１３ａの両端には、接続本体１３の湾曲する線材の直径より大きな直径を有する一対の球体１３ｂ，１３ｂが接続本体１３と一体的にそれぞれ設けられる。接続本体１３に荷重が作用していないとき、一対の球体１３ｂ，１３ｂが当接した状態に保たれる。また接続本体１３に切離し部１３ａの両端を引き離す方向の荷重が作用すると、接続本体１３が弾性変形して切離し部１３ａの両端（一対の球体１３ｂ，１３ｂ）が離れ、上記荷重を取り除くと、接続本体１３の弾性力により互いに近付いて接続本体１３がリング状に復帰するように構成される。この参考の形態では、上記接続具１０にタッセル１２両端の一対のリング紐１２ｂをそれぞれ遊挿することにより、タッセル１２両端の一対のリング紐１２ｂが一対の接続具１０を介して房掛け１１にそれぞれ接続される。更に上記房掛け１１はプラスチックや金属等により形成され、タッセル１２は織布、ワイヤ、紐、チェーン、レザー等により形成され、接続具１０はプラスチックや金属等により形成される。なお、この参考の形態では、接続本体を弾性変形可能な円形のリング状に形成したが、接続本体を弾性変形可能な略Ｃ字状に形成してもよい。また、この参考の形態では、タッセル両端の一対のリング紐を一対の接続具を介して房掛けにそれぞれ接続したが、タッセル一端の一方のリング紐を一方の接続具を介して房掛けに接続し、タッセル他端の他方のリング紐を接続具を介さずに直接房掛けに接続してもよい。
【００１６】
このように構成された接続具１０の使用方法及び動作を説明する。先ずタッセル１２両端の一対のリング紐１２ｂを一対の接続具１０にそれぞれ遊挿する。次にタッセル１２の一方のリング紐１２ｂが遊挿された一方の接続具１０の接続本体１３を房掛け１１の柱状部１１ｂに遊嵌する（図１（ａ）及び図２（ａ））。更にタッセル１２の房部１２ａをカーテンに巻き付けた後に、タッセル１２の他方のリング紐（図示せず）が遊挿された他方の接続具（図示せず）の接続本体を房掛け１１の柱状部１１ｂに遊嵌する。このときタッセル１２は比較的弛んだ状態でカーテンを束ねているため、子供や老人などにタッセル１２が絡みつく場合がある。この状態でタッセル１２を房掛け１１から引き離す方向の所定値以上の荷重（例えば、２ｋｇ以上の荷重）がタッセル１２に作用すると、一対の接続具１０のうちのいずれか一方又は双方の接続具、この参考の形態では、一方の接続具１０の切離し部１３ａの両端が房掛け１１の柱状部１１ｂの外周面又はタッセル１２のリング紐１２ｂの外周面に沿って互いに離れる方向に弾性変形する。このため、上記接続具１０がタッセル１２とともに房掛け１１から外れるか（図１（ｂ）及び図２（ｂ））、或いはタッセル１２が接続具１０から外れる。この結果、タッセル１２のリング状態を確実に解除できるので、子供や老人などをタッセル１２の絡みつきから速やかに解放できる。また接続具１０がタッセル１２とともに房掛け１１から外れるか、或いはタッセル１２が接続具１０から外れて、接続具１０が房掛け１１又はタッセル１２から離れると、接続具１０の接続本体１３の切離し部１３ａ両端が接続本体１３の弾性力により互いに近付いて、接続本体１３がリング状に復帰するので、接続具１３を何回でも繰返し使用できる。
【００１７】
＜第２の参考の形態＞
図３及び図４は第２の参考の形態を示す。図３及び図４において図１及び図２と同一符号は同一部品を示す。この参考の形態では、接続具４０の接続本体４３に紐遊挿部４４が一体的に設けられる。即ち、接続具４０は、弾性変形可能な略ε字状に形成されかつ単一の切離し部４３ａを有する接続本体４３と、この接続本体４３の切離し部４３ａとは反対方向に所定の間隔をあけて接続本体４３に突設された略Ｃ字状の一対の紐遊挿部４４，４４と、接続本体４３のうち略ε字状の中央部に接続本体４３と一体的に突設された回動軸４６と、回動軸４６を回動可能に保持しかつ一部が扇形に欠けた円板状の案内ケース４７とを備える。上記接続本体４３は、円弧状の一対の腕部４３ｂ，４３ｂと、一対の腕部４３ｂ，４３ｂの基端と回動軸４６とを連結する弾性変形可能な一対の連結部４３ｃ，４３ｃと、一対の腕部４３ｂ，４３ｂ先端の切離し部４３ａ両端にそれぞれ設けられた一対の球体４３ｄ，４３ｄとを有する。この接続本体４３に荷重が作用していないとき、切離し部４３ａの両端の間隔、即ち一対の球体４３ｄ，４３ｄの間隔は房掛け１１の柱状部１１ｂの直径より小さく形成される。また一対の紐遊挿部４４，４４は、一対の腕部４３ｂ，４３ｂの基端から腕部４３ｂの厚さ方向において上側にずらした状態で切離し部４３ａとは反対方向に突設される。更に案内ケース４７の外周面には接続本体４３の一対の腕部４３ｂ，４３ｂの内周面を摺動可能に保持する凹溝４７ａが形成される。一方、タッセル４２は、この参考の形態では、カーテンに巻き付けられる房部（図示せず）と、この房部の両端に設けられた細い円柱状の一対のリング紐４２ｂとを有する。また一対の連結部４３ｃ，４３ｃは案内ケース４７の上面を摺動可能に構成され、一対の紐遊挿部４４，４４にタッセル４２両端のリング紐４２ｂがそれぞれ遊挿される。更に略Ｃ字状の紐遊挿部４４の隙間は、タッセル４２のリング紐４２ｂの太さと略同一に形成される。これによりタッセル４２のリング紐４２ｂが紐遊挿部４４から容易に抜けないようになっている。上記以外は第１の参考の形態と同一に構成される。
【００１８】
このように構成された接続具４０の使用方法及び動作を説明する。先ずタッセル４２の一方のリング紐４２ｂを一方の接続具４０の一対の紐遊挿部４４，４４にそれぞれ遊挿し、タッセル４２の他方のリング紐（図示せず）を他方の接続具（図示せず）の一対の紐遊挿部にそれぞれ遊挿する。次にタッセル４２の一方のリング紐４２ｂが遊挿された一方の接続具４０の接続本体４３を房掛け１１の柱状部１１ｂに遊嵌する（図３（ａ））。更にタッセルの房部をカーテンに巻き付ける。この状態でタッセル４２の他方のリング紐（図示せず）が遊挿された他方の接続具（図示せず）の接続本体を房掛け１１の柱状部１１ｂに遊嵌する。このときタッセル４２は比較的弛んだ状態でカーテンを束ねているため、子供や老人などにタッセル４２が絡みつく場合がある。この状態でタッセル４２を房掛け１１から引き離す方向の所定値以上の荷重（例えば、２ｋｇ以上の荷重）がタッセル４２に作用すると、一対の接続具４０のうちいずれか一方又は双方の接続具、この参考の形態では、一方の接続具４０の一対の連結部４３ｃ，４３ｃが弾性変形して、一対の紐遊挿部４４，４４が互いに近付くので、切離し部４３ａの両端が房掛け１１の柱状部１１ｂの外周面に沿って互いに離れる。このため、接続具４０がタッセル４２とともに房掛け１１から外れる（図３（ｂ）及び図３（ｃ））。この結果、タッセル４２のリング状態を確実に解除できるので、子供や老人などをタッセル４２の絡みつきから速やかに解放できる。また接続具４０がタッセル４２とともに房掛け１１から外れて、接続具４０が房掛け１１から離れると、接続具４０の接続本体４３の切離し部４３ａ両端が、接続本体４３の弾性力、具体的には一対の連結部４３ｃ、４３ｃの弾性力により互いに近付いて、接続本体４３が略ε字状に復帰するので、接続具４０を何回でも繰返し使用できる。
【００１９】
＜第１の実施の形態＞
図５及び図６は本発明の第１の実施の形態を示す。図５及び図６において図１及び図２と同一符号は同一部品を示す。この実施の形態では、接続本体９３が無端のリング状に形成され、接続本体９３に被係止部材９４が一体的に設けられ、更に被係止部材９４に係止部材９６が離脱可能に係止するように構成される。上記接続本体９３の内径は房掛け１１の柱状部１１ｂの直径より大きく形成され、これにより接続本体９３は房掛け１１の柱状部１１ｂに遊嵌可能に構成される。また被係止部材９４は、接続本体９３に連結部９４ａを介して一体的に設けられた支持部９４ｂと、支持部９４ｂにピン９４ｃを介して回動可能に取付けられ円筒状に形成されかつ中央から先端に向って４本の切込み９４ｄを形成することにより一対の被係止片９４ｅ，９４ｅが互いに対向して形成された被係止本体９４ｆとを有する。更に係止部材９６は、被係止本体９４ｆ内に挿入可能な球状の係止本体９６ａと、この係止本体９６ａに突設されタッセル４２のリング紐４２ｂを遊挿可能な略Ｃ字状に形成されたフック９６ｂとを有する。上記一対の被係止片９４ｅ，９４ｅは弾性変形可能に構成され、これらの被係止片９４ｅ，９４ｅの先端には一対の被係止爪９４ｇ，９４ｇが互いに対向して設けられる。これにより球状の係止本体９６が一対の被係止爪９４ｇ，９４ｇに離脱可能に係止するように構成される。上記タッセル４２は第２の参考の形態のタッセルと同一に構成され、それ以外は第１の参考の形態と同一に構成される。
【００２０】
このように構成された接続具９０の使用方法及び動作を説明する。先ずタッセル４２両端の一対のリング紐４２ｂを一対の接続具９０の係止部材９６のフック９６ｂにそれぞれ遊挿する。次いで係止部材９６を被係止部材９４に係止する。具体的には、一対の被係止片９４の弾性力に抗して球状の係止本体９６ａを被係止本体９４ｆに挿入し、一対の被係止片９４ｅ，９４ｅの弾性力により球状の係止本体９６ａを一対の被係止爪９４ｇ，９４ｇにそれぞれ係止する。次にタッセル４２の一方のリング紐４２ｂが遊挿された係止部材９６を有する一方の接続具９０の接続本体９３を房掛け１１の柱状部１１ｂに遊嵌する（図５（ａ）及び図６（ａ））。上記以外の使用方法は第１の参考の形態と略同様であるので、繰返しの説明を省略する。またタッセル４２を房掛け１１から引き離す方向の所定値以上の荷重（例えば、２ｋｇ以上の荷重）がタッセル４２に作用すると、一対の接続具９０のうちのいずれか一方又は双方の接続具、この実施の形態では、一方の接続具９０の一対の被係止片９４ｅ，９４ｅｄが弾性変形して、球状の係止本体９６ａが一対の被係止爪９４ｇ，９４ｇから離脱するので、接続本体９３及び被係止部材９４が房掛け１１に残された状態で、係止部材９６がタッセル４２とともに房掛け１１から外れる（図５（ｂ）及び図６（ｂ））。上記以外の動作は第１の参考の形態と略同様であるので、繰返しの説明を省略する。
【符号の説明】
【００２１】
９０  接続具
１１  房掛け
４２  タッセル
４２ｂ  リング紐
９３  接続本体
９４  被係止部材
９４ｂ  支持部
９４ｃ  ピン
９４ｄ  切込み
９４ｅ  被係止片
９４ｆ  被係止本体
９４ｇ  被係止爪
９６  係止部材
９６ａ  係止本体
９６ｂ  フック
【図１】
2018164746.tif 000003
【図２】
2018164746.tif 000004
【図３】
2018164746.tif 000005
【図４】
2018164746.tif 000006
【図５】
2018164746.tif 000007
【図６】
2018164746.tif 000008